(57)【要約】【課題】表示パネルのエッジ領域における光漏れを防止する表示装置を提供する。【解決手段】本発明の表示装置は、表示パネルと、第１色の光を出力する光源と、表示パネルの下部に配置され、第１色の光が入射する入射面、入射面に対向する対向面、及び表示パネルに対向する出射面を含む導光部材と、表示パネルと導光部材との間に配置され、第１色の光を吸収して第１色と異なる色の光を表示パネルに出力するカラー変換部材と、導光部材の下部に配置され、第１反射領域及び第１反射領域に隣接する第２反射領域が定義された反射部材と、光源に隣接する第１反射領域に配置されて第１色の光を吸収する光吸収部材と、を備える。【選択図】図６
2020009742.tif 000002
【特許請求の範囲】
【請求項１】
表示パネルと、
第１色の光を出力する光源と、
前記表示パネルの下部に配置され、前記第１色の光が入射する入射面、前記入射面に対向する対向面、及び前記表示パネルに対向する出射面を含む導光部材と、
前記表示パネルと前記導光部材との間に配置され、前記第１色の光を吸収して前記第１色と異なる色の光を前記表示パネルに出力するカラー変換部材と、
前記導光部材の下部に配置され、第１反射領域及び前記第１反射領域に隣接する第２反射領域が定義された反射部材と、
前記光源に隣接する前記第１反射領域に配置されて前記第１色の光を吸収する光吸収部材と、を備えることを特徴とする表示装置。
【請求項２】
前記光吸収部材は、前記反射部材の平面上で互いに離隔された複数の印刷パターンを含むことを特徴とする請求項１に記載の表示装置。
【請求項３】
前記印刷パターンは、前記第１色及び前記第１色と異なる第２色の混合色で提供され、
前記混合色は、前記第１色よりも前記第２色の比率が高いことを特徴とする請求項２に記載の表示装置。
【請求項４】
前記入射面及び前記対向面が互いに対向する第１方向で、前記印刷パターンは、各々が前記第１方向に交差する第２方向に配列された第１印刷パターン及び第２印刷パターンを含み、
前記第１印刷パターンは、前記第２印刷パターンよりも前記光源に隣接する前記反射部材の終端に更に隣接して位置することを特徴とする請求項２に記載の表示装置。
【請求項５】
前記印刷パターンは、前記第２方向に配列され、前記第１印刷パターン及び前記第２印刷パターンよりも前記反射部材の終端から更に離隔された第３印刷パターンを更に含み、
前記第１方向における前記第１印刷パターンと前記第２印刷パターンとの間の離隔距離は、前記第２印刷パターンと前記第３印刷パターンとの間の離隔距離よりも短いことを特徴とする請求項４に記載の表示装置。
【請求項６】
前記光吸収部材は、前記第１反射領域に全体的に重畳し、前記第１色の光を吸収する第２色で提供されることを特徴とする請求項１に記載の表示装置。
【請求項７】
前記光吸収部材は、前記反射部材の終端に隣接する第１印刷領域及び前記第１印刷領域に隣接する第２印刷領域を含み、
前記第１印刷領域の密度は、前記第２印刷領域の密度よりも高いことを特徴とする請求項６に記載の表示装置。
【請求項８】
前記入射面及び前記対向面が互いに対向する第１方向で、前記第２反射領域を介して前記第１反射領域に対向する第３反射領域が前記反射部材に更に定義され、
前記反射部材は、前記第３反射領域に配置され、前記第１色を吸収して前記第１色と異なる第２色の光を出光する複数のサブカラー変換部材を更に含むことを特徴とする請求項１に記載の表示装置。
【請求項９】
前記サブカラー変換部材は、前記反射部材の平面上で互いに離隔され、
前記サブカラー変換部材の各々は、蛍光体を含むことを特徴とする請求項８に記載の表示装置。
【請求項１０】
表示パネルと、
第１色の光を出力する第１光源と、
前記第１色の光を出力する第２光源と、
前記表示パネルの下部に配置され、前記第１光源に対向する入射面、前記第２光源に対向する対向面、及び前記表示パネルに対向する出射面を含む導光部材と、
前記表示パネルと前記導光部材との間に配置され、前記第１光源及び前記第２光源の各々から前記第１色の光を吸収して前記第１色と異なる色の光を前記表示パネルに出力するカラー変換部材と、
前記導光部材の下部に配置され、第１反射領域、第２反射領域、及び前記第２反射領域を介して前記第１反射領域に対向する第３反射領域が定義された反射部材と、
前記第１光源に隣接する前記第１反射領域に配置されて前記第１色の光を吸収する第１光吸収部材と、
前記第２光源に隣接する前記第３反射領域に配置されて前記第１色の光を吸収する第２光吸収部材と、を備えることを特徴とする表示装置。
【発明の詳細な説明】
【技術分野】
【０００１】
本発明は、表示装置に関し、より詳細には、表示品質を向上させた表示装置に関する。
【背景技術】
【０００２】
表示装置は、消費電力が低く、携帯性が良好であり、付加価値が高い次世代の先端ディスプレイ（ｄｉｓｐｌａｙ）素子として脚光を浴びている。表示装置は、各画素別に薄膜トランジスタを含んで、画素別電圧のオン／オフを調節する。
【０００３】
表示装置は表示パネル及び表示パネルに光を提供する光源を含む。光源は発光素子及び導光部材を含む。発光素子から出力された光は導光部材の入射面を通じて入射する。導光部材の入射面を通じて入射した光は全反射を通じて入射面に対向する対向面まで伝達される。即ち、発光素子から生成された光は導光部材の内部で導光されて表示パネルに提供される。
【０００４】
一方、導光部材の入射面を通じて伝達された光の中の一部が導光部材の内部に伝達されずに、導光部材の出射面を通じて出光される。特に、入射面に隣接する出射面を通じて出光された光によって表示パネルのエッジ領域で光漏れが発生する。
【先行技術文献】
【特許文献】
【０００５】
【特許文献１】米国特許第９６７１５４６号明細書
【特許文献２】米国特許出願公開第２０１５／０１６８６３４号明細書
【発明の概要】
【発明が解決しようとする課題】
【０００６】
本発明は、上記従来の問題点に鑑みてなされたものであって、本発明の目的は、表示パネルのエッジ領域における光漏れを防止した表示装置を提供することにある。
【課題を解決するための手段】
【０００７】
上記目的を達成するためになされた本発明の一態様に係る表示装置は、表示パネルと、第１色の光を出力する光源と、前記表示パネルの下部に配置され、前記第１色の光が入射する入射面、前記入射面に対向する対向面、及び前記表示パネルに対向する出射面を含む導光部材と、前記表示パネルと前記導光部材との間に配置され、前記第１色の光を吸収して前記第１色と異なる色の光を前記表示パネルに出力するカラー変換部材と、前記導光部材の下部に配置され、第１反射領域及び前記第１反射領域に隣接する第２反射領域が定義された反射部材と、前記光源に隣接する前記第１反射領域に配置されて前記第１色の光を吸収する光吸収部材と、を備える。
【０００８】
前記光吸収部材は、前記反射部材の平面上で互いに離隔された複数の印刷パターンをみ得る。
前記印刷パターンは、前記第１色及び前記第１色と異なる第２色の混合色で提供され、前記混合色は、前記第１色よりも前記第２色の比率が高くあり得る。
前記第１色はブルーであり、前記第２色はイエローであり得る。
前記入射面及び前記対向面が互いに対向する第１方向で、前記印刷パターンは、各々が前記第１方向に交差する第２方向に配列された第１印刷パターン及び第２印刷パターンを含み、前記第１印刷パターンは、前記第２印刷パターンよりも前記光源に隣接する前記反射部材の終端に更に隣接して位置し得る。
前記反射部材の平面上で、前記第１印刷パターンの各々の面積は、前記第２印刷パターンの各々の面積よりも大きくあり得る。
前記印刷パターンは、前記第２方向に配列され、前記第１印刷パターン及び前記第２印刷パターンよりも前記反射部材の終端から更に離隔された第３印刷パターンを更に含み、前記第１方向における前記第１印刷パターンと前記第２印刷パターンとの間の離隔距離は、前記第２印刷パターンと前記第３印刷パターンとの間の離隔距離よりも短くあり得る。
前記光吸収部材は、前記第１反射領域に全体的に重畳し、前記第１色の光を吸収する第２色で提供され得る。
前記光吸収部材は、前記反射部材の終端に隣接する第１印刷領域及び前記第１印刷領域に隣接する第２印刷領域を含み、前記第１印刷領域の密度は、前記第２印刷領域の密度よりも高くあり得る。
前記入射面及び前記対向面が互いに対向する第１方向で、前記第２反射領域を介して前記第１反射領域に対向する第３反射領域が前記反射部材に更に定義され、前記反射部材は、前記第３反射領域に配置され、前記第１色を吸収して前記第１色と異なる第２色の光を出光する複数のサブカラー変換部材を更に含み得る。
前記サブカラー変換部材は、前記反射部材の平面上で互いに離隔され、前記サブカラー変換部材の各々は、蛍光体を含み得る。
前記蛍光体の各々は、ＹＡＧ蛍光体として提供され得る。
前記第１方向に交差する第２方向で、前記第２反射領域を介して互いに対向する第１サブ反射領域及び第２サブ反射領域が前記反射部材に更に定義され、前記第１サブ反射領域に配置され、前記第１色を吸収して前記第２色の光を出光する複数の第１サブカラー変換部材、及び前記第２サブ反射領域に配置され、前記第１色を吸収して前記第２色の光を出光する複数の第２サブカラー変換部材を更に含み得る。
前記反射部材の平面上で、前記第１サブカラー変換部材の中の少なくとも一部は、前記光吸収部材に重畳する。
前記カラー変換部材は、前記出射面上に配置された低屈折層、及び前記低屈折層と前記表示パネルとの間に配置され、前記第１色の光を吸収して他の色を出力する光変換層を含み、前記低屈折層の屈折率は、前記導光部材の屈折率よりも低く、前記導光部材の屈折率は、前記光変換層の屈折率よりも低くあり得る。
【０００９】
上記目的を達成するためになされた本発明の他の態様による表示装置は、表示パネルと、第１色の光を出力する第１光源と、前記第１色の光を出力する第２光源と、前記表示パネルの下部に配置され、前記第１光源に対向する入射面、前記第２光源に対向する対向面、及び前記表示パネルに対向する出射面を含む導光部材と、前記表示パネルと前記導光部材との間に配置され、前記第１光源及び前記第２光源の各々から前記第１色の光を吸収して前記第１色と異なる色の光を前記表示パネルに出力するカラー変換部材と、前記導光部材の下部に配置され、第１反射領域、第２反射領域、及び前記第２反射領域を介して前記第１反射領域に対向する第３反射領域が定義された反射部材と、前記第１光源に隣接する前記第１反射領域に配置されて前記第１色の光を吸収する第１光吸収部材と、前記第２光源に隣接する前記第３反射領域に配置されて前記第１色の光を吸収する第２光吸収部材と、を備える。
【００１０】
前記第１光吸収部材は、前記反射部材の平面上で互いに離隔された複数の第１の印刷パターンを含み、前記第２光吸収部材は、前記反射部材の平面上で互いに離隔された複数の第２の印刷パターンを含み得る。
前記第１方向に交差する第２方向で、前記第２反射領域を介して互いに対向する第１サブ反射領域及び第２サブ反射領域が前記反射部材に更に定義され、前記第１サブ反射領域に配置され、前記第１色を吸収して第２色の光を出光し、各々が蛍光体を含む複数の第１サブカラー変換部材、及び前記第２サブ反射領域に配置され、前記第１色を吸収して前記第２色の光を出光し、各々が前記蛍光体を含む複数の第２サブカラー変換部材を更に含み得る。
前記第１光吸収部材は、前記第１反射領域に全体的に重畳し、前記第１色の光を吸収する第２色で提供され、前記第２光吸収部材は、前記第２反射領域に全体的に重畳し、前記第１色の光を吸収する前記第２色で提供され得る。
【００１１】
他の実施形態による表示装置は、表示パネルと、第１色の光を出力する光源と、前記表示パネルの下部に配置され、前記第１色の光が入射する入射面、前記入射面に対向する対向面、及び前記表示パネルに対向する出射面を含む導光部材と、前記導光部材の下部に配置された反射部材と、前記光源に隣接する前記反射部材の一領域に配置されて前記第１色の光を吸収する光吸収部材と、を備える。
【発明の効果】
【００１２】
本発明によれば、表示パネルのエッジ領域における光漏れを防止することができる。その結果、表示装置の全般的な表示品質を向上させることができる。
【図面の簡単な説明】
【００１３】
【図１】本発明の一実施形態による表示装置の斜視図である。
【図２】本発明の一実施形態による表示装置の分解斜視図である。
【図３】図２に示したＩ−Ｉ’に沿って切断した断面図である。
【図４】発明の一実施形態による導光板及びカラー変換部材の分解斜視図である。
【図５】図４に示したＩＩ−ＩＩ’に沿って切断した断面図である。
【図６】図３に示したＡＡ領域を拡大した拡大図である。
【図７】本発明の一実施形態による反射部材の平面図である。
【図８】図７に示したＢＢ領域を拡大した拡大図である。
【図９Ａ】本発明の一実施形態による導光部材の出射面における輝度を示すグラフである。
【図９Ｂ】本発明の一実施形態による導光部材の出射面から出力された光の色座標を示すグラフである。
【図１０Ａ】本発明の他の実施形態による表示装置の一部分を示す断面図である。
【図１０Ｂ】図１０Ａに示した反射部材の平面図である。
【図１１】本発明の他の実施形態による表示装置の断面図である。
【図１２】図１１に示したＣＣ領域を拡大した拡大図である。
【図１３Ａ】本発明の他の実施形態による反射部材の平面図である。
【図１３Ｂ】本発明の他の実施形態による反射部材の平面図である。
【図１３Ｃ】本発明の他の実施形態による反射部材の平面図である。
【図１４】本発明の他の実施形態による表示装置の分解斜視図である。
【図１５】本発明の他の実施形態による反射部材の平面図である。
【発明を実施するための形態】
【００１４】
本明細書で、ある構成要素（又は領域、層、部分等）が他の構成要素“上にある”、“連結される”、又は“結合される”と言及する場合に、それは他の構成要素上に直接配置／連結／結合されるか、或いはこれらの間に第３の構成要素が配置されることを意味する。
【００１５】
同一の図面符号は、同一の構成要素を称する。
【００１６】
“及び／又は”は関連する構成が定義される１つ以上の組み合わせを全て含む。
【００１７】
第１、第２等の用語は多様な構成要素を説明するために使用されるが、構成要素は用語によって限定されてはならない。用語は１つの構成要素を他の構成要素から区別する目的のみに使用される。例えば、本発明の権利範囲を逸脱せずに、第１構成要素は第２構成要素と称され、同様に第２構成要素も第１構成要素と称される。単数の表現は、文脈上明確に異なって表現しない限り、複数の表現を含む。
【００１８】
また、“下に”、“下側に”、“上に”、“上側に”等の用語は図面に示した構成の関連関係を説明するために使用される。用語は相対的な概念として図面に示した方向を基準に説明される。
【００１９】
異なって定義されない限り、本明細書で使用する全ての用語（技術的及び科学的用語を含む）は本発明が属する技術分野で当業者によって一般的に理解される同一の意味を有する。また、一般的に使用される辞典で定義された用語は、関連技術の脈絡の意味と一致する意味を有するものと解釈されなければならず、本明細書で明確に定義されない限り、過度に形式的な（理想的に）意味に解釈されない。
【００２０】
“含む”等の用語は、明細書上に記載された特徴、数字、段階、動作、構成要素、部品又はこれらを組み合わせたものが存在することを表現しようするものであり、１つ又はそれ以上の他の特徴や数字、段階、動作、構成要素、部分品、又はこれらを組み合わせたものの存在又は付加可能性を予め排除しないものとして理解すべきである。
【００２１】
以下、本発明を実施するための形態の具体例を、図面を参照しながら詳細に説明する。
【００２２】
図１は、本発明の一実施形態による表示装置の斜視図である。図２は、本発明の一実施形態による表示装置の分解斜視図である。図３は、図２に示したＩ−Ｉ’に沿って切断した断面図である。
【００２３】
図１を参照すると、表示装置ＤＤは表示面ＤＤ−ＩＳを通じてイメージＩＭを表示する。表示面ＤＤ−ＩＳは第１方向ＤＲ１及び第２方向ＤＲ２が定義する面に平行である。表示面ＤＤ−ＩＳの法線方向、即ち表示装置ＤＤの厚さ方向は第３方向ＤＲ３が指示する。
【００２４】
以下で説明する各部材又はユニットの前面（又は上面）及び背面（又は下面）は第３方向ＤＲ３によって区分される。しかし、本実施形態で図示した第１〜第３方向（ＤＲ１、ＤＲ２、ＤＲ３）は例示に過ぎず、第１〜第３方向（ＤＲ１、ＤＲ２、ＤＲ３）が指示する方向は反対方向に変換され得る。
【００２５】
一方、本実施形態では、図１を通じて表示面ＤＤ−ＩＳが方形状を有するものとして説明するが、これに限定されず、平面上で表示面ＤＤ−ＩＳの少なくとも一部分は曲線を含むことができる。
【００２６】
例えば、平面上で、表示面ＤＤ−ＩＳは第１方向ＤＲ１に延長された第１辺、第２方向ＤＲ２に延長された第２辺、第１方向ＤＲ１に延長されて第１辺に対向する第３辺、及び第２方向ＤＲ２に延長されて第２辺に対向する第４辺を含む。また、表示面ＤＤ−ＩＳは第１辺と第２辺とを連結する第１曲線、第２辺と第３辺とを連結する第２曲線、第３辺と第４辺とを連結する第３曲線、及び第４辺と第１辺とを連結する第４曲線を含む。第１〜第４曲線は表示面ＤＤ−ＩＳのコーナーに対応する。
【００２７】
また、本実施形態では、平面型表示面を具備する表示装置ＤＤを図示したが、これに制限されない。表示装置ＤＤは曲面型表示面又は立体型表示面を含んでもよい。立体型表示面はそれぞれ異なる方向を指示する複数の表示領域を含み、例えば多角柱型表示面を含む。
【００２８】
本実施形態による表示装置ＤＤはリジッド表示装置である。しかし、これに制限されず、本発明による表示装置ＤＤはフレキシブル表示装置であってもよい。本実施形態で携帯電話機端末機に適用される表示装置ＤＤを例示的に図示した。図示しなかったが、メインボードに実装された電子モジュール、カメラモジュール、電源モジュール等が表示装置ＤＤと共にブラケット／ケース等に配置されることによって携帯電話機端末機が構成される。本発明による表示装置ＤＤは、テレビジョン、モニター等のような大型電子装置を初めとして、タブレット、自動車ナビゲーション、ゲーム機、スマートウォッチ等のような中小型電子装置等に適用される。
【００２９】
表示面ＤＤ−ＩＳはイメージＩＭが表示される表示領域ＤＤ−ＤＡ及び表示領域ＤＤ−ＤＡに隣接する非表示領域ＤＤ−ＮＤＡを含む。非表示領域ＤＤ−ＮＤＡはイメージが表示されない領域である。図１にはイメージＩＭの一例として時計ウインドウ及びアイコンイメージを図示した。
【００３０】
図１に示したように、非表示領域ＤＤ−ＮＤＡが表示領域ＤＤ−ＤＡを囲むものとして示した。但し、これに制限されず、表示領域ＤＤ−ＤＡの形状と非表示領域ＤＤ−ＮＤＡの形状とは相対的にデザインされる。例えば、非表示領域ＤＤ−ＮＤＡは表示領域ＤＤ−ＤＡのいずれか一側のみに隣接するように配置されるか又は省略される。
【００３１】
図２及び図３を参照すると、表示装置ＤＤはウインドウ部材ＷＭ、表示パネルＤＰ、バックライトユニットＢＬＵ、及び収納部材ＢＣを含む。
【００３２】
ウインドウ部材ＷＭは、表示パネルＤＰから提供される映像を透過させる透光領域ＴＡ、及び透光領域ＴＡに隣接して映像が透過しない遮光領域ＣＡを含む。図２に示した透光領域ＴＡ及び遮光領域ＣＡは、図１に示した表示装置ＤＤの表示領域ＤＤ−ＤＡ及び非表示領域ＤＤ−ＮＤＡに各々対応する。
【００３３】
透光領域ＴＡは第１方向ＤＲ１及び第２方向ＤＲ２によって定義される平面上で表示装置ＤＤの中心部に配置される。遮光領域ＣＡは透光領域ＴＡに隣接するように配置されて透光領域ＴＡを囲んだフレーム形状を有する。しかし、本発明の技術的思想はこれに限定されず、遮光領域ＣＡは透光領域ＴＡの一部分のみに隣接するか又は省略され得る。ウインドウ部材ＷＭは、ガラス、サファイア、又はプラスチック等で提供される。
【００３４】
表示パネルＤＰはウインドウ部材ＷＭの下部に配置される。表示パネルＤＰはバックライトユニットＢＬＵから受信した光を利用して映像を表示する。即ち、表示パネルＤＰは受光型表示パネルを含む。例示的に、本発明の一実施形態によると、表示パネルＤＰは液晶表示パネル（Ｌｉｑｕｉｄ  Ｃｒｙｓｔａｌ  Ｄｉｓｐｌａｙ  Ｐａｎｅｌ）を含む。
【００３５】
平面上で、表示パネルＤＰは表示領域ＤＡと表示領域ＤＡに隣接する非表示領域ＮＤＡとを含む。図２に示した表示領域ＤＡ及び非表示領域ＮＤＡは、図１に示した表示領域ＤＤ−ＤＡ及び非表示領域ＤＤ−ＮＤＡに各々重畳される。
【００３６】
バックライトユニットＢＬＵは、表示パネルＤＰの下部に配置されて、表示パネルＤＰに光を提供する。本実施形態によると、バックライトユニットＢＬＵは導光部材ＬＧＰの側面に隣接するように配置されたエッジ型光源である。
【００３７】
本実施形態によるバックライトユニットＢＬＵは、光源ＬＳ、導光部材ＬＧＰ、カラー変換部材ＬＭ、反射部材ＲＳ、及びモールドフレームＭＭを含む。
【００３８】
光源ＬＳは第１方向ＤＲ１で導光部材ＬＰＧの一側面に隣接するように配置される。しかし、本発明は光源ＬＳの位置に限定されず、導光部材ＬＰＧの側面の中の少なくともいずれか一側面に隣接するように配置され得る。
【００３９】
光源ＬＳは複数の発光素子ＬＳＵ及び回路基板ＬＳＳを含む。発光素子ＬＳＵは表示パネルＤＰに提供される光を生成して導光部材ＬＧＰに提供する。
【００４０】
本実施形態によると、発光素子ＬＳＵは第１色の光を生成する。第１色の光は第１波長帯域を有する。例示的に、第１波長帯域は約４００ｎｍ以上５００ｎｍ以下である。即ち、第１色はブルー（Ｂｌｕｅ）で提供される。
【００４１】
本実施形態によると、発光素子ＬＳＵはＬＥＤ（Ｌｉｇｈｔ  Ｅｍｉｔｔｉｎｇ  Ｄｉｏｄｅ）が点光源として使用された形態である。しかし、本発明は発光素子ＬＳＵの種類に限定されるものではない。
【００４２】
また、本発明は発光素子ＬＳＵの数に限定されない。他の実施形態によると、発光素子ＬＳＵは複数ではない１つのＬＥＤが点光源として提供されるか又は複数のＬＥＤグループで提供される。
【００４３】
発光素子ＬＳＵは回路基板ＬＳＳ上に実装される。回路基板ＬＳＳは第１方向ＤＲ１で導光部材ＬＧＰの一側に対向するように配置されて第２方向ＤＲ２に延長される。
【００４４】
回路基板ＬＳＳは発光素子ＬＳＵに連結された光源制御部（図示せず）を含む。光源制御部（図示せず）は、表示パネルＤＰに表示される映像を分析してローカルディミング信号を出力し、ローカルディミング信号に応答して発光素子ＬＳＵが生成する光の輝度を制御する。
【００４５】
導光部材ＬＧＰは表示パネルＤＰの下部に配置される。導光部材ＬＧＰは可視光線領域で光透過率が高い物質を含む。例示的に、導光部材ＬＧＰはガラス材質を含む。その他の実施形態で、導光部材ＬＧＰはポリメチルメタクリラート（ＰＭＭＡ：ｐｏｌｙｍｅｔｈｙｌ  ｍｅｔｈａｃｒｙｌａｔｅ）等の透明な高分子樹脂からなる。一実施形態によると、導光部材ＬＧＰは約１．４以上１．５５以下の屈折率を有する。
【００４６】
カラー変換部材ＬＭは表示パネルＤＰと導光部材ＬＧＰとの間に配置される。カラー変換部材ＬＭの下面は導光部材ＬＧＰの上面に接触する。カラー変換部材ＬＭは導光部材ＬＧＰから表示パネルＤＰ方向に出光された第１色の光を吸収して第１色と異なる色で出光する。一実施形態によると、カラー変換部材ＬＭはブルー色を有する第１色の光を吸収して白色光を出力する。その結果、表示パネルＤＰはカラー変換部材ＬＭから出光された白色光を受信する。
【００４７】
反射部材ＲＳは導光部材ＬＧＰの下部に配置される。反射部材ＲＳは導光部材ＬＧＰの下部に放出された光を上部方向に反射させる。反射部材ＲＳは光を反射する物質を含む。例示的に、反射部材ＲＳはアルミニウム又は銀を含む。一例として、反射部材ＲＳは反射シートとして提供される。
【００４８】
図面に示していないが、バックライトユニットＢＬＵはカラー変換部材ＬＭと表示パネルＤＰとの間に配置された少なくとも１つの光学シート（図示せず）を更に含むことができる。光学シート（図示せず）が複数で提供される場合、複数の光学シート（図示せず）は、拡散シート、プリズムシート、及び保護シートを含む。拡散シートはカラー変換部材ＬＭから提供された光を拡散させる。プリズムシートは、拡散シートの上部に配置されて、拡散シートによって拡散された光を平面上に対して垂直になる上部方向に集光する。保護シートは外部の摩擦からプリズムシートのプリズムを保護する。本発明の光学シート（図示せず）の種類及び数は限定されない。
【００４９】
モールドフレームＭＭは表示パネルＤＰとカラー変換部材ＬＭとの間に配置される。上述した光学シート（図示せず）を含む表示装置ＤＤの場合、モールドフレームＭＭは光学シート（図示せず）とカラー変換部材ＬＭとの間に配置される。
【００５０】
本実施形態によると、モールドフレームＭＭは枠形状を有する。具体的に、モールドフレームＭＭはカラー変換部材ＬＭの上面上で縁領域に対応するように配置される。この場合、モールドフレームＭＭは表示領域ＤＡに重畳しない。モールドフレームＭＭ上に表示パネルＤＰが配置される。モールドフレームＭＭは表示パネルＤＰ及びバックライトユニットＢＬＵを固定する役割をする。
【００５１】
収納部材ＢＣは表示装置ＤＤの最下端に配置されてバックライトユニットＢＬＵを収納する。収納部材ＢＣは底部ＵＳ及び底部ＵＳに連結された複数の側壁部Ｓｚを含む。本実施形態では、収納部材ＢＣの側壁部Ｓｚの中のいずれか１つの内側面上に光源ＬＳが配置される。収納部材ＢＣは強性を有する金属物質を含む。
【００５２】
図４は、発明の一実施形態による導光板及びカラー変換部材の分解斜視図である。図５は、図４に示したＩＩ−ＩＩ’に沿って切断した断面図である。
【００５３】
図４を参照すると、導光部材ＬＧＰは、出射面ＴＳ、下面ＢＳ、及び出射面ＴＳと下面ＢＳとを連結する複数の側面（ＩＳ、ＳＳ、ＯＳ）（図２及び図４）を含む。側面（ＩＳ、ＳＳ、ＯＳ）の中の光源ＬＳに対向する側面は入射面ＩＳとして定義され、入射面ＩＳに第１方向ＤＲ１で対向する面は対向面ＯＳとして定義される。
【００５４】
一方、図示していないが、導光部材ＬＧＰは出射面ＴＳ又は下面（図示せず）に形成された複数の出光パターン（図示せず）を含む。出光パターン（図示せず）は、導光部材ＬＧＰの出射面ＴＳ又は下面（図示せず）に入射した光を屈折させて、反射角を変更させる役割をする。出光パターン（図示せず）は出射面ＴＳ又は下面（図示せず）上で陰刻又は陽刻形状を有する。
【００５５】
図５に示したように、カラー変換部材ＬＭは導光部材ＬＧＰ上に配置される。一例として、カラー変換部材ＬＭは導光部材ＬＧＰの出射面ＴＳ上に付着される。本実施形態によると、カラー変換部材ＬＭは低屈折層ＲＯ及び光変換層ＬＯを含む。
【００５６】
低屈折層ＲＯは導光部材ＬＧＰの出射面ＴＳ上に配置される。一実施形態によると、低屈折層ＲＯは導光部材ＬＧＰの屈折率よりも低い屈折率を有する。例示的に、低屈折層ＲＯの屈折率は約１．１以上１．３以下であり、低屈折層ＲＯの厚さは約０．５μｍ以上である。上述したように、導光部材ＬＧＰは、約１．４以上１．５５以下の屈折率を有することによって、低屈折層ＲＯの屈折率よりも低く提供される。
【００５７】
低屈折層ＲＯと導光部材ＬＧＰとの間の界面で、低屈折層ＲＯと導光部材ＬＧＰとの間の屈折率差によって、光源ＬＳから導光部材ＬＧＰに提供された光が導光部材ＬＧＰ内で全反射される。即ち、導光部材ＬＧＰの入射面ＩＳに入射した光は全反射されて導光部材ＬＧＰの対向面ＯＳまで伝達される。
【００５８】
一方、本実施形態によると、低屈折層ＲＯが導光部材ＬＧＰの出射面ＴＳ上に全体的に配置されるものとして示したが、これに限定されない。即ち、低屈折層ＲＯの導光部材ＬＧＰの出射面ＴＳの領域の中の一部領域に重畳するように配置され得る。即ち、低屈折層ＲＯの上面の面積は導光部材ＬＧＰの出射面ＴＳ面積よりも小さくてもよい。
【００５９】
光変換層ＬＯは低屈折層ＲＯの上部に配置される。光変換層ＬＯは導光部材ＬＧＰの屈折率よりも高い屈折率を有する。例示的に、光変換層ＬＯの屈折率は約１．６５以上である。
【００６０】
光変換層ＬＯは入射する光の波長帯域を変換させる役割をする。本実施形態による光変換層ＬＯは複数の光変換粒子（ＱＤ１、ＱＤ２）を含む。変換粒子（ＱＤ１、ＱＤ２）の各々は、入射する光の少なくとも一部を吸収して特定色を有する光を放出するか、又はそのまま透過させる。
【００６１】
光変換層ＬＯに入射する光が変換粒子を励起させるのに充分なエネルギーを有する場合、変換粒子は入射する光の少なくとも一部を吸収して励起状態になった後、安定化されながら、特定色の光を放出する。これと異なり、入射する光が変換粒子を励起させ難いエネルギーを有する場合、入射する光は光変換層ＬＯをそのまま通過して外部から視認される。
【００６２】
具体的に、変換粒子の粒子サイズに応じて、変換粒子が放射させる光の色が決定される。概ね、粒子サイズが大きいほど長い波長の光が生成され、粒子サイズが小さいほど短い波長の光が生成される。
【００６３】
例示的に、変換粒子の各々は量子ドット（Ｑｕａｎｔｕｍ  Ｄｏｔ）である。光変換層ＬＯの変換粒子から放出される光は多様な方向に放射される。
【００６４】
具体的に、変換粒子は第１量子ドットＱＤ１及び第２量子ドットＱＤ２を含む。第１量子ドットＱＤ１の各々は、第１色の光を吸収して、第２波長帯域を有する第１変換色を有する光に変換する。第２波長帯域の中心波長は第１波長帯域の中心波長よりも長い。例示的に、第２波長帯域は約６４０ｎｍ以上７８０ｎｍ以下である。即ち、第１量子ドットＱＤ１の各々は実質的にブルー光をレッド光に変換する。
【００６５】
第２量子ドットＱＤ２の各々は、第１色の光を吸収して、第３波長帯域を有する第２変換色を有する光に変換する。第３波長帯域の中心波長は、第１波長帯域の中心波長よりも長く、第２波長帯域の中心波長よりも短い。例示的に、第３波長帯域は約４８０ｎｍ以上５６０ｎｍ以下である。即ち、第２量子ドットＱＤ２の各々は実質的にブルー光をグリーン光に変換する。
【００６６】
上述したように、変換粒子の粒子サイズに応じて、該当変換粒子が生成する光の波長が決定される。本実施形態によると、第１量子ドットＱＤ１の各々のサイズは第２量子ドットＱＤ２の各々のサイズよりも大きい。
【００６７】
図面に示していないが、光変換層ＬＯは散乱体（図示せず）を更に含むことができる。散乱体（図示せず）は第１量子ドットＱＤ１及び第２量子ドットＱＤ２と共に混合された形態を有する。
【００６８】
図６は、図３に示したＡＡ領域を拡大した拡大図である。図７は、本発明の一実施形態による反射部材の平面図である。図８は、図７に示したＢＢ領域を拡大した拡大図である。
【００６９】
図６を参照すると、反射部材ＲＳは導光部材ＬＧＰの下面ＢＳ上に配置される。一例として、反射部材ＲＳは導光部材ＬＧＰの下面ＢＳに全体的に重畳されて、下面ＢＳから伝達された光を反射させる。
【００７０】
詳細に、図７を参照すると、反射部材ＲＳは、第１方向ＤＲ１で互いに対向する第１終端Ｓ１及び第２終端Ｓ２を含み、第２方向ＤＲ２で互いに対向する第３終端Ｓ３及び第４終端Ｓ４を含む。反射部材ＲＳは第１〜第４終端（Ｓ１〜Ｓ４）によって平面上で定義される。この中で、第１〜第４終端（Ｓ１〜Ｓ４）の中の第１終端Ｓ１が光源ＬＳに最も隣接する。
【００７１】
本実施形態によると、反射部材ＲＳは第１反射領域ＲＡ１及び第１反射領域ＲＡ１に隣接する第２反射領域ＲＡ２を含む。平面上で、第１反射領域ＲＡ１は第２反射領域ＲＡ２よりも導光部材ＬＧＰの入射面ＩＳに更に隣接し、第２反射領域ＲＡ２は第１反射領域ＲＡ１よりも導光部材ＬＧＰの対向面ＯＳに更に隣接する。第１反射領域ＲＡ１の終端は反射部材ＲＳの第１終端Ｓ１に対応する。
【００７２】
また、反射部材ＲＳの平面上で、第２反射領域ＲＡ２の面積は第１反射領域ＲＡ１の面積よりも更に大きい。図７に示したように、第２方向ＤＲ２における第１反射領域ＲＡ１及び第２反射領域ＲＡ２の長さは互いに同一であるが、第１方向ＤＲ１における第１反射領域ＲＡ１の長さは第２反射領域ＲＡ２の長さよりも短い。一例として、第１方向ＤＲ１における第１反射領域ＲＡ１の長さは５０ｍｍ〜２００ｍｍで提供される。
【００７３】
本実施形態によると、表示装置ＤＤは反射部材ＲＳ上に配置された光吸収部材ＯＭを更に含む。一実施形態によると、光吸収部材ＯＭは第１反射領域ＲＡ１上に配置された複数の印刷パターン（ＰＮ１、ＰＮ２、ＰＮ３）を含む。一例として、印刷パターン（ＰＮ１、ＰＮ２、ＰＮ３）はインクタイプで反射部材ＲＳの第１反射領域ＲＡ１に形成される。
【００７４】
印刷パターン（ＰＮ１、ＰＮ２、ＰＮ３）は、第１色と異なる第２色で提供されて、発光素子ＬＳＵから出力された第１色の光を吸収する。第２色は５７０〜５９０ｎｍの波長帯域を有するイエロー色である。その結果、導光部材ＬＧＰの下面ＢＳを通じて第１反射領域ＲＡ１に伝達された第１色の光は、印刷パターン（ＰＮ１、ＰＮ２、ＰＮ３）によって吸収されて導光部材ＬＧＰの下面ＢＳに再び反射されない。
【００７５】
印刷パターン（ＰＮ１、ＰＮ２、ＰＮ３）は第１印刷パターンＰＮ１、第２印刷パターンＰＮ２、及び第３印刷パターンＰＮ３を含む。しかし、本発明の技術的思想はこれに限定されず、印刷パターンは第１方向ＤＲ１に沿って配列された複数の印刷パターンを含むことができる。
【００７６】
本発明によると、印刷パターン（ＰＮ１、ＰＮ２、ＰＮ３）の中の第１印刷パターンＰＮ１は第１方向ＤＲ１で発光素子ＬＳＵに最も隣接する。第１印刷パターンＰＮ１は同一なサイズで提供され、第２方向ＤＲ２に沿って一定間隔で配列される。
【００７７】
印刷パターン（ＰＮ１、ＰＮ２、ＰＮ３）の中の第２印刷パターンＰＮ２は第１方向ＤＲ１で第１印刷パターンＰＮ１よりも平面上で発光素子ＬＳＵからより遠く離隔される。第２印刷パターンＰＮ２は同一なサイズで提供され、第２方向ＤＲ２に沿って一定間隔で配列される。
【００７８】
印刷パターン（ＰＮ１、ＰＮ２、ＰＮ３）の中の第３印刷パターンＰＮ３は第１方向ＤＲ１で第２印刷パターンＰＮ２よりも平面上で発光素子ＬＳＵからより遠く離隔される。第３印刷パターンＰＮ３は同一なサイズで供され、第２方向ＤＲ２に沿って一定間隔で配列される。
【００７９】
以下、図８を参照して、反射部材ＲＳ上に配置された第１〜第３印刷パターン（ＰＮ１、ＰＮ２、ＰＮ３）の構造をより詳細に説明する。
【００８０】
図８に示したように、第１方向ＤＲ１における反射部材ＲＳの第１終端Ｓ１から第１印刷パターンＰＮ１までの間隔は第１長さＤ１として定義される。第１方向ＤＲ１における反射部材ＲＳの第１終端Ｓ１から第２印刷パターンＰＮ２までの間隔は第２長さＤ２として定義される。第１方向ＤＲ１における反射部材ＲＳの第１終端Ｓ１から第３印刷パターンＰＮ３までの間隔は第３長さＤ３として定義される。この場合、第１長さＤ１は第２長さＤ２よりも短く、第２長さＤ２は第３長さＤ３よりも短い。
【００８１】
本発明によると、反射部材ＲＳの平面上で、第１〜第３印刷パターン（ＰＮ１、ＰＮ２、ＰＮ３）の面積はそれぞれ異なる。例えば、第１印刷パターンＰＮ１の各々の面積は第２印刷パターンＰＮ２の各々の面積よりも大きい。第２印刷パターンＰＮ２の各々の面積は第３印刷パターンＰＮ３の各々の面積よりも大きい。
【００８２】
本実施形態によると、第１方向ＤＲ１で、第１印刷パターンＰＮ１及び第２印刷パターンＰＮ２の間隔を第１離隔距離Ｄｓ１であると定義し、第２印刷パターンＰＮ２及び第３印刷パターンＰＮ３の間隔を第２離隔距離Ｄｓ２であると定義する。この場合、第１離隔距離Ｄｓ１は第２離隔距離Ｄｓ２よりも短い。
【００８３】
本実施形態によると、第１〜第３印刷パターン（ＰＮ１、ＰＮ２、ＰＮ３）の各々は第２方向ＤＲ２に沿って一定の間隔Ｄｗで配列される。しかし、これに限定されず、第１〜第３印刷パターン（ＰＮ１、ＰＮ２、ＰＮ３）が第２方向ＤＲ２に配列される構造は多様に変形され得る。
【００８４】
再び図６を参照すると、発光素子ＬＳＵから出力された光は導光部材ＬＧＰの入射面ＩＳを通じて入射する。
【００８５】
一例として、導光部材ＬＧＰに入射する光の方向と導光部材ＬＧＰの上面に対して垂直になる法線とのなす角が臨界角として定義される角よりも大きい場合、入射光は導光部材ＬＧＰの上面で全反射する。反面に、入射光の方向が臨界角として定義される角よりも小さい場合、入射光は導光部材ＬＧＰを透過する。以下、先に図４を通じて説明したように、導光部材ＬＧＰの上面は出射面ＴＳとして定義される。
【００８６】
詳細に、光源ＬＳから導光部材ＬＧＰに入射する光の中の第１上部入射光ＬＡ１は導光部材ＬＧＰの出射面ＴＳに対して垂直になる法線と第１角Ａ１を有する。第１角Ａ１は臨界角よりも大きい。従って、導光部材ＬＧＰの出射面ＴＳで反射された第１上部入射光ＬＡ１’が再び導光部材ＬＧＰの内部に提供される。
【００８７】
光源ＬＳから導光部材ＬＧＰに入射する光の中の第１下部入射光ＬＡ２は導光部材ＬＧＰの下面ＢＳに対して垂直になる法線と第１角Ａ１を有する。従って、導光部材ＬＧＰの下面ＢＳで反射された第１下部入射光ＬＡ２’が再び導光部材ＬＧＰの内部に提供される。
【００８８】
一方、光源ＬＳから導光部材ＬＧＰに入射する光の中の下部入射光ＬＢは導光部材ＬＧＰの下面ＢＳに対して垂直になる法線と第２角Ａ２を有する。
【００８９】
本発明による印刷パターン（ＰＮ１、ＰＮ２、ＰＮ３）が省略された実施形態の場合、下部入射光ＬＢのように、臨界角よりも小さいサイズを有する第２角Ａ２で導光部材ＬＧＰに入射する光は導光部材ＬＧＰの下面ＢＳを透過して反射部材ＲＳによって反射される。この場合、反射部材ＲＳによって反射された下部入射光ＬＢは導光部材ＬＧＰの出射面ＴＳで反射されず、出射面ＴＳを透過して光変換層ＬＯに提供される。その結果、導光されない下部入射光ＬＢが光変換層ＬＯで色変換されて出光され、これによって表示パネルのエッジ領域で光漏れが発生する。
【００９０】
しかし、本実施形態によると、第２角Ａ２で導光部材ＬＧＰに入射する光は光源ＬＳに隣接する反射部材ＲＳの第１反射領域ＲＡ１に配置された印刷パターン（ＰＮ１、ＰＮ２、ＰＮ３）によって吸収される。特に、臨界角よりも小さい角度で導光部材ＬＧＰに入射する光は、第１反射領域ＲＡ１の中、光源ＬＳに隣接するほど、発生確率が高くなる。
【００９１】
従って、図８を通じて説明したように、第１反射領域ＲＡ１上に、それぞれ異なる面積を有する第１〜第３印刷パターン（ＰＮ１、ＰＮ２、ＰＮ３）が配置される。特に、光源ＬＳに最も隣接する第１印刷パターンＰＮ１の面積が最も大きいため、臨界角よりも小さい角度で導光部材ＬＧＰに入射する光の吸収がより容易になる。
【００９２】
図９Ａは、本発明の一実施形態による導光部材の出射面における輝度を示すグラフである。図９Ｂは、本発明の一実施形態による導光部材の出射面から出力された光の色座標を示すグラフである。
【００９３】
図３、図７、及び図９Ａを参照すると、横軸は第１方向ＤＲ１であり、反射部材ＲＳの第１終端Ｓ１からの長さ（ｍｍ）を示し、縦軸は第１反射領域ＲＡ１に重畳された表示パネルＤＰから出力される光の輝度（ｎｉｔ）を示す。
【００９４】
図９Ａに示したように、表示パネルＤＰは、外部制御によって、全表示領域に亘って目標輝度に対応する基準光Ｐ１が出力されなければならない。しかし、本発明による印刷パターン（ＰＮ１、ＰＮ２、ＰＮ３）が省略された実施形態の場合、表示パネルＤＰは第１反射領域ＲＡ１で基準輝度よりも高い第１輝度を有する光ＰＯを出力する。これは、先に図６を通じて説明した臨界角よりも小さい角度で導光部材ＬＧＰに入射した光が導光部材ＬＧＰの出射面ＴＳで反射されずに、出射面ＴＳを透過して光変換層ＬＯに提供されるためである。
【００９５】
しかし、本発明によると、臨界角よりも小さい角度で導光部材ＬＧＰに入射した光が反射部材ＲＳの第１反射領域ＲＡ１に配置された光吸収部材ＯＭに吸収される。従って、図９Ａに示したように、本発明による表示パネルＤＰは第１反射領域ＲＡ１に重畳された領域で目標輝度を有する基準光Ｐ１を出力することができる。
【００９６】
図９Ｂ参照すると、横軸は第１方向ＤＲ１であり、反射部材ＲＳの第１終端Ｓ１からの長さ（ｍｍ）を示し、縦軸は第１反射領域ＲＡ１に重畳された表示パネルＤＰから出力される光の色座標Ｃｘを示す。
【００９７】
例示的に、第１反射領域ＲＡ１に配置された印刷パターン（ＰＮ１、ＰＮ２、ＰＮ３）が省略された場合、表示パネルＤＰは第１色座標ＰＳ１を有する光を出力する。ここで、第１色座標ＰＳ１は目標映像に対する基準色座標である。
【００９８】
これに反して、第１反射領域ＲＡ１に配置された印刷パターン（ＰＮ１、ＰＮ２、ＰＮ３）がイエローの第２色のみで提供される場合、表示パネルＤＰは第５色座標ＰＳ５を有する光を出力する。第５色座標ＰＳ５は第１色座標ＰＳ１に比べてイエローの成分が更に含まれる。その結果、基準色座標である第１色座標ＰＳ１に比べて、第１反射領域ＲＡ１に重畳された表示パネルＤＰからイエローの色が更に視認される。
【００９９】
本実施形態によると、印刷パターン（ＰＮ１、ＰＮ２、ＰＮ３）は少なくとも２つ以上の混合色で提供される。印刷パターン（ＰＮ１、ＰＮ２、ＰＮ３）は第１色及び第２色を含む。例示的に、第１色はブルーであり、第２色はイエローである。
【０１００】
代表例として、印刷パターン（ＰＮ１、ＰＮ２、ＰＮ３）の各々は第１色及び第２色の混合色で提供され、この場合、第１色の比率は９９．９％であり、第２色の比率は０．１％の比率で提供される。その結果、図９Ｂに示したように、表示パネルＤＰは第２色座標ＰＳ２を有する光を出力する。
【０１０１】
他の例として、印刷パターン（ＰＮ１、ＰＮ２、ＰＮ３）の各々は第１色及び第２色の混合色で提供され、この場合、第１色の比率は９９．９５％であり、第２色の比率は０．０５％の比率で提供される。その結果、図９Ｂに示したように、表示パネルＤＰは第３色座標ＰＳ３を有する光を出力する。
【０１０２】
他の例として、印刷パターン（ＰＮ１、ＰＮ２、ＰＮ３）の各々は第１色及び第２色の混合色で提供され、この場合、第１色の比率は９９．９８％であり、第２色の比率は０．０２％の比率で提供される。その結果、図９Ｂに示したように、表示パネルＤＰは第４色座標ＰＳ４を有する光を出力する。
【０１０３】
上述したように、本発明によると、印刷パターン（ＰＮ１、ＰＮ２、ＰＮ３）の各々に含まれるブルー成分の比率はイエロー成分に比べて０．０２％〜０．１％の間を有する。しかし、これは一例に関することであって、第１色及び第２色の比率は実施形態に応じて変わり得る。
【０１０４】
図１０Ａは、本発明の他の実施形態による表示装置の一部分を示す断面図である。図１０Ｂは、図１０Ａに示した反射部材の平面図である。図１０Ａに示した表示装置は図６Ａに示した表示装置と比較して、光吸収部材ＯＭの構成が変形されただけであり、残りの構成の構造は実質的に同一である。従って、残りの構成に対する説明は省略する。光吸収部材ＯＭｚは、図７に示した光吸収部材ＯＭと比較して、複数のパターンとして反射部材ＲＳ上に配置されるものではなく、１つの構成として反射部材ＲＳ上に配置される。
【０１０５】
詳細に、図１０Ａ及び図１０Ｂを参照すると、光吸収部材ＯＭｚは第１反射領域ＲＡ１に全般的に重畳する。光吸収部材ＯＭｚは入射面ＩＳから受信された光を吸収する。光吸収部材ＯＭｚは、第１色と異なる第２色が提供されて、発光素子ＬＳＵから出力された第１色の光を吸収する。例示的に、第１色はブルー色であり、第２色はイエロー色である。但し、第２色は第１色の光を吸収する色であれば、特別に制限されない。例えば、光吸収部材ＯＭｚは先に図９Ａを通じて説明した第１色と第２色との混合色で提供される。
【０１０６】
図１０Ｂに示したように、光吸収部材ＯＭｚは第１〜第３印刷領域（ＰＡ１〜ＰＡ３）を含む。本実施形態によると、反射部材ＲＳの第１反射領域ＲＡ１上に第２色の原料を第１〜第３印刷領域（ＰＡ１〜ＰＡ３）の各々に対応するように塗布することによって、光吸収部材ＯＭｚが形成される。
【０１０７】
一実施形態によると、第１方向ＤＲ１における第１印刷領域ＰＡ１は第２印刷領域ＰＡ２よりも反射部材ＲＳの第１終端Ｓ１に更に隣接する。第１印刷領域ＰＡ１の終端は反射部材ＲＳの第１終端Ｓ１に対応する。第１方向ＤＲ１における第２印刷領域ＰＡ２は第３印刷領域ＰＡ３よりも反射部材ＲＳの第１終端Ｓ１に更に隣接する。
【０１０８】
特に、第１印刷領域ＰＡ１の密度は第２印刷領域ＰＡ２の密度よりも高く、第２印刷領域ＰＡ２の密度は第３印刷領域ＰＡ３の密度よりも高い。即ち、第２印刷領域ＰＡ２に比べて第１印刷領域ＰＡ１に第２色の原料がより多く含まれ、第３印刷領域ＰＡ３に比べて第２印刷領域ＰＡ２に第２色の原料がより多く含まれる。
【０１０９】
これは、臨界角よりも小さい角度で導光部材ＬＧＰに入射した光が、第３印刷領域ＰＡ３に比べて第２印刷領域ＰＡ２に伝達される確率が高く、第２印刷領域ＰＡ２に比べて第１印刷領域ＰＡ１に伝達される確率が高いためである。
【０１１０】
上述したことに応じて、本実施形態による表示パネルＤＰは第１反射領域ＲＡ１に重畳された領域で目標輝度を有する基準光Ｐ１を出力することができる。
【０１１１】
図１１は、本発明の他の実施形態による表示装置の断面図である。図１２は、図１１に示したＣＣ領域を拡大した拡大図である。図１３Ａは、本発明の他の実施形態による反射部材の平面図である。図１３Ｂは、本発明の他の実施形態による反射部材の平面図である。図１３Ｃは、本発明の他の実施形態による反射部材の平面図である。
【０１１２】
図１１及び図１２を参照すると、表示装置ＤＤは導光部材ＬＧＰの対向面ＯＳ上に配置された補助反射部材ＲＳｔを更に含む。補助反射部材ＲＳｔは導光部材ＬＧＰから導光されて伝達された光を再び導光部材ＬＧＰの内部に反射させる。
【０１１３】
但し、補助反射部材ＲＳｔが対向面ＯＳに全体的に重畳しない構造で、入射面ＩＳを通じて導光された光の中の一部光が対向面ＯＳを通過する。この場合、対向面ＯＳを通過した第１色を有する光が表示装置ＤＤに含まれる他の構成で反射されて表示パネルＤＰに伝達される。その結果、対向面ＯＳに重畳された表示パネルＤＰの領域で第１色の光漏れが発生する。
【０１１４】
しかし、本実施形態によると、図１３Ａに示したように、反射部材ＲＳの第３反射領域ＲＡ３に複数のサブカラー変換部材ＬＤが配置される。詳細に、反射部材ＲＳに第３反射領域ＲＡ３が更に定義される。第３反射領域ＲＡ３は第２反射領域ＲＡ２を介して第１方向ＤＲ１で第１反射領域ＲＡ１に対向する。第３反射領域ＲＡ３の終端は反射部材ＲＳの第２終端Ｓ２に対応する。サブカラー変換部材ＬＤは第２方向ＤＲ２に沿って配列された形状である。図１３Ａに示したように、第２方向ＤＲ２に沿って一定間隔で配列された２行のサブカラー変換部材ＬＤが示される。一方、サブカラー変換部材ＬＤが第３反射領域ＲＡ３に配置された構造はこれに限定されず、その構造は多様に変形され得る。本実施形態によると、サブカラー変換部材ＬＤの各々は、第１色の光を吸収して、第２色の光を出力する複数の蛍光体を含む。本実施形態によるサブカラー変換部材ＬＤの各々に含まれる蛍光体はＹＡＧ蛍光体として提供される。第２色は約５７０ｎｍ以上５９０ｎｍ以下の波長範囲を有するイエロー色で提供される。その結果、ＹＡＧ蛍光体の各々はブルー光をイエロー光に変換する。従って、導光部材ＬＧＰから第１方向ＤＲ１に沿って導光された第１色の光は対向面ＯＳを通過する前に、反射部材ＲＳの第３反射領域ＲＡ３に配置されたサブカラー変換部材ＬＤによって第２色の光で出光される。その結果、第１色の光によって対向面ＯＳに隣接する表示パネルＤＰの領域で発生した光漏れが防止され、これによって表示装置ＤＤの全般的な表示品質が向上する。
【０１１５】
また、本実施形態によると、第１方向ＤＲ１における第３反射領域ＲＡ３の長さは０〜１００ｍｍ以内に提供される。従って、第１方向ＤＲ１における第１反射領域ＲＡ１の長さは第３反射領域ＲＡ３の長さよりも長い。
【０１１６】
図１３Ｂを参照すると、反射部材ＲＳは図１３Ａに示した反射部材ＲＳと比較して、第１サブ反射領域ＲＡｓ１及び第２サブ反射領域ＲＡｓ２が更に定義される。第１サブ反射領域ＲＡｓ１及び第２サブ反射領域ＲＡｓ２は、第２方向ＤＲ２で、第２反射領域ＲＡ２を介して互いに対向する。第１サブ反射領域ＲＡｓ１の一端は反射部材ＲＳの第３終端Ｓ３に対応し、他端は第２反射領域ＲＡ２の一端に隣接する。第２サブ反射領域ＲＡｓ２の一端は反射部材ＲＳの第４終端Ｓ４に対応し、他端は第２反射領域ＲＡ２の他端に隣接する。
【０１１７】
本実施形態によると、表示装置ＤＤは第１サブ反射領域ＲＡｓ１に配置された第１サブカラー変換部材ＬＤｓａ及び第２サブ反射領域ＲＡｓ２に配置された第２サブカラー変換部材ＬＤｓｂを更に含む。第１サブカラー変換部材ＬＤｓａ及び第２サブカラー変換部材ＬＤｓｂの各々は第１方向ＤＲ１に沿って配列された形状である。一方、第１サブカラー変換部材ＬＤｓａ及び第２サブカラー変換部材ＬＤｓｂが第１サブ反射領域ＲＡｓ１及び第２サブ反射領域ＲＡｓ２に各々配置される構造は、これに限定されず、多様に変形され得る。
【０１１８】
第１サブカラー変換部材ＬＤｓａ及び第２サブカラー変換部材ＬＤｓｂの各々は、第１色の光を吸収して、第２色の光を出力する複数の蛍光体を含む。本実施形態による第１サブカラー変換部材ＬＤｓａ及び第２サブカラー変換部材ＬＤｓｂの各々に含まれる蛍光体はＹＡＧ蛍光体として提供される。
【０１１９】
また、反射部材ＲＳの平面上で、第１サブカラー変換部材ＬＤｓａの中の少なくとも一部は印刷パターン（ＰＮ１、ＰＮ２、ＰＮ３）に重畳する。反射部材ＲＳの平面上で、第２サブカラー変換部材ＬＤｓｂの中の少なくとも一部は印刷パターン（ＰＮ１、ＰＮ２、ＰＮ３）に重畳する。
【０１２０】
一方、図１３Ａを通じて反射部材ＲＳの第３反射領域ＲＡ３上に複数のサブカラー変換部材ＬＤが配置されるものとして説明したが、これに限定されない。即ち、第３反射領域ＲＡ３上に複数のサブカラー変換部材ＬＤが一定間隔に配列された構造ではなく、第３反射領域ＲＡ３に全体的に重畳する１つのカラー変換部材が反射部材ＲＳ上に配置され得る。
【０１２１】
詳細に、図１３Ｃを参照すると、第１反射領域ＲＡ１に配置された光吸収部材ＯＭｚは図１０Ｂを通じて説明した光吸収部材ＯＭｚである。従って、これに対する説明は省略する。
【０１２２】
本実施形態によると、第３反射領域ＲＡ３の全体に重畳するようにサブカラー変換部材ＬＤｚが反射部材ＲＳ上に配置される。一例として、第３反射領域ＲＡ３に全体的に重畳するように第２色の原料が反射部材ＲＳ上に塗布される。例示的に、第２色の原料はＹＡＧ蛍光体として提供される。他の例として、第３反射領域ＲＡ３に全体的に重畳するように第２色の原料を有するフィルムが反射部材ＲＳの第３反射領域ＲＡ３に配置される。
【０１２３】
一方、図１３Ｃを通じて第３反射領域ＲＡ３にサブカラー変換部材ＬＤｚが配置される場合、第１反射領域ＲＡ１にも図１０Ｂを通じて説明した光吸収部材ＯＭｚが配置されるものとして説明するが、これに限定されない。即ち、図１３Ｃを通じて第３反射領域ＲＡ３にサブカラー変換部材ＬＤｚが配置される場合、図７で説明した光吸収部材ＯＭが第１反射領域ＲＡ１に配置されてもよい。
【０１２４】
図１４は、本発明の他の実施形態による表示装置の分解斜視図である。図１５は、本発明の他の実施形態による反射部材の平面図である。
【０１２５】
図１４に示した表示装置ＤＤ２は、図２に示した表示装置ＤＤと比較して、第２光源ＬＳ２の構成のみが追加され、残りの構成の構造は実質的に同一である。従って、説明を簡単にするために、残りの構成に対する説明は省略する。
【０１２６】
図１４を参照すると、表示装置ＤＤ２は、導光部材ＬＧＰを介して第１方向ＤＲ１で互いに対向する第１光源ＬＳ１及び第２光源ＬＳ２を含む。第１光源ＬＳ１は導光部材ＬＧＰの一端に隣接し、第２光源ＬＳ２は第１方向ＤＲ１で導光部材ＬＧＰの一端に対向する導光部材ＬＧＰの他端に隣接する。
【０１２７】
本実施形態によると、第１光源ＬＳ１及び第２光源ＬＳ２の各々はブルーの第１色の光を導光部材ＬＧＰに出力する。
【０１２８】
本実施形態による反射部材ＲＳは図１３Ｂに示した反射部材ＲＳと比較して、発光パターンの構造のみが変わっただけであり、残りの構成の構造は実質的に同一である。従って、残る構成の構造に対する説明を簡単にするために省略する。
【０１２９】
図１５を参照すると、第１反射領域ＲＡ１に第１色の光を吸収する第２色の第１の印刷パターン（ＰＮ１、ＰＮ２、ＰＮ３）が配置される。第１の印刷パターン（ＰＮ１、ＰＮ２、ＰＮ３）は図７に示した印刷パターン（ＰＮ１、ＰＮ２、ＰＮ３）に対応する。特に、本実施形態によると、第３反射領域ＲＡ３に第１色の光を吸収する第２色の第２の印刷パターン（ＰＮ１ａ、ＰＮ２ａ、ＰＮ３ａ）が配置される。第１反射領域ＲＡ１に配置された第１の印刷パターン（ＰＮ１、ＰＮ２、ＰＮ３）は第１光吸収部材ＯＭとして定義され、第３反射領域ＲＡ３に配置された第２の印刷パターン（ＰＮ１ａ、ＰＮ２ａ、ＰＮ３ａ）は第２光吸収部材ＯＭａとして各々説明する。
【０１３０】
第１の印刷パターン（ＰＮ１、ＰＮ２、ＰＮ３）及び第２の印刷パターン（ＰＮ１ａ、ＰＮ２ａ、ＰＮ３ａ）の各々は、臨界角よりも小さい角度で導光部材ＬＧＰに入射した光を吸収する。また、第１の印刷パターン（ＰＮ１、ＰＮ２、ＰＮ３）及び第２の印刷パターン（ＰＮ１ａ、ＰＮ２ａ、ＰＮ３ａ）は、第２反射領域ＲＡ２を介して互いに離隔される。本実施形態によると、第１の印刷パターン（ＰＮ１、ＰＮ２、ＰＮ３）及び第２の印刷パターン（ＰＮ１ａ、ＰＮ２ａ、ＰＮ３ａ）は、第２反射領域ＲＡ２を基準に互いに対称である。
【０１３１】
しかし、本発明の技術的思想はこれに限定されず、他の実施形態によると、第１の印刷パターン（ＰＮ１、ＰＮ２、ＰＮ３）及び第２の印刷パターン（ＰＮ１ａ、ＰＮ２ａ、ＰＮ３ａ）は、第２反射領域ＲＡ２を介して多様な配置構造を有することができる。
【０１３２】
また、反射部材ＲＳａは、第１サブ反射領域ＲＡｓ１（図１３Ｂ参照）に配置された第１サブカラー変換部材ＬＤｓａ及び第２サブ反射領域ＲＡｓ２（図１３Ｂ参照）に配置された第２サブカラー変換部材ＬＤｓｂを含む。第１サブカラー変換部材ＬＤｓａ及び第２サブカラー変換部材ＬＤｓｂの各々は、第１色を吸収して第２色の光を出光する。
【０１３３】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【０１３４】
Ａ１    第１角
Ａ２    第２角
ＢＣ    収納部材
ＢＬＵ    バックライトユニット
ＢＳ    下面
ＣＡ    遮光領域
ＤＤ、ＤＤ２    表示装置
ＤＡ、ＤＤ−ＤＡ    表示領域
ＤＤ−ＮＤＡ、ＮＤＡ    非表示領域
ＤＤ−ＩＳ    表示面
ＤＰ    表示パネル
ＩＭ    イメージ
ＩＳ    入射面（側面）
ＬＡ１、ＬＡ１’    第１上部入射光
ＬＡ２、ＬＡ２’    第１下部入射光
ＬＢ    下部入射光
ＬＤ    サブカラー変換部材
ＬＤｓａ、ＬＤｓｂ    第１、第２サブカラー変換部材
ＬＤｚ    サブカラー変換部材
ＬＧＰ    導光部材
ＬＭ    カラー変換部材
ＬＯ    光変換層
ＬＳ    光源
ＬＳ２    第２光源
ＬＳＳ    回路基板
ＬＳＵ    発光素子
ＭＭ    モールドフレーム
ＯＭ、ＯＭｚ    （第１）光吸収部材
ＯＭａ    第２光吸収部材
ＯＳ    対向面（側面）
ＰＡ１〜ＰＡ３    第１〜第３印刷領域
ＰＮ１、ＰＮ２、ＰＮ３    （第１の）（第１〜第３）印刷パターン（光吸収部材）
ＰＮ１ａ、ＰＮ２ａ、ＰＮ３ａ    第２の印刷パターン
ＱＤ１、ＱＤ２    光変換粒子
ＲＡ１〜ＲＡ３    第１〜第３反射領域
ＲＡｓ１、ＲＡｓ２    第１、第２サブ反射領域
ＲＯ    低屈折層
ＲＳ、ＲＳａ    反射部材
ＲＳｔ    補助反射部材
Ｓ１〜Ｓ４    第１〜第４終端
ＳＳ    （側面）
Ｓｚ    側壁部
ＴＡ    透光領域
ＴＳ    出射面
ＵＳ    底部
ＷＭ    ウインドウ部材
【図１】
2020009742.tif 000003
【図２】
2020009742.tif 000004
【図３】
2020009742.tif 000005
【図４】
2020009742.tif 000006
【図５】
2020009742.tif 000007
【図６】
2020009742.tif 000008
【図７】
2020009742.tif 000009
【図８】
2020009742.tif 000010
【図９Ａ】
2020009742.tif 000011
【図９Ｂ】
2020009742.tif 000012
【図１０Ａ】
2020009742.tif 000013
【図１０Ｂ】
2020009742.tif 000014
【図１１】
2020009742.tif 000015
【図１２】
2020009742.tif 000016
【図１３Ａ】
2020009742.tif 000017
【図１３Ｂ】
2020009742.tif 000018
【図１３Ｃ】
2020009742.tif 000019
【図１４】
2020009742.tif 000020
【図１５】
2020009742.tif 000021